【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
廃棄物供給装置と、この廃棄物供給装置から供給される廃棄物を焼却する焼却炉と、この焼却炉から排出される排ガス中の焼却灰を捕集するサイクロンと、このサイクロンから焼却灰供給装置を介して供給された焼却灰を溶融する溶融炉と、この溶融炉の下方位置に設けられ、スラグ排出口から排出される溶融スラグを急冷する水冷装置と、前記焼却灰の塩基度を計測する塩基度計測装置と、前記焼却灰のクロム濃度を計測するクロム濃度計測装置と、前記廃棄物供給装置または前記焼却炉のうちの何れか一つに、前記焼却灰の塩基度が０．６〜１．０になるように塩基度調整剤を供給する塩基度調整剤供給装置と、前記廃棄物供給装置または前記焼却炉のうちの何れか一つに、クロム濃度調整剤を供給するクロム濃度調整剤供給装置と、前記サイクロンから排出された排ガス中の飛灰をさらに捕集する集塵機と、この集塵機から排出され、飛灰が除去された排ガスを大気中に放出する煙突とからなることを特徴とする焼却灰の溶融装置。
【請求項２】
前記集塵機から前記溶融炉に、集塵機で捕集された飛灰を焼却灰供給装置に供給する搬送装置を備えてなることを特徴とする請求項１に記載の焼却灰の溶融装置。
【請求項３】
廃棄物供給装置と、この廃棄物供給装置から供給される廃棄物を焼却する焼却炉と、この焼却炉から排出される焼却灰を溶融炉に供給する焼却灰供給装置と、前記焼却灰の塩基度を計測する塩基度計測装置と、前記焼却灰のクロム濃度を計測するクロム濃度計測装置と、前記廃棄物供給装置、焼却炉または前記焼却炉のうちの何れか一つに、前記焼却炉から排出される焼却灰の塩基度が０．６〜１．０になるように塩基度調整剤を供給する塩基度調整剤供給装置と、前記廃棄物供給装置または前記焼却炉のうちの何れか一つに、クロム濃度調整剤を供給するクロム濃度調整剤供給装置と前記焼却灰供給装置から供給される焼却灰を溶融する溶融炉と、この溶融炉の下方位置に設けられ、スラグ排出口から排出される溶融スラグを急冷する水冷装置とからなることを特徴とする焼却灰の溶融装置。
【請求項４】
焼却灰を受け入れるホッパと、焼却灰供給装置と、前記焼却灰の塩基度を計測する塩基度計測装置と、前記焼却灰のクロム濃度を計測するクロム濃度計測装置と、前記ホッパに、前記焼却灰の塩基度が０．６〜１．０になるように塩基度調整剤を供給する塩基度調整剤供給装置と、クロム濃度調整剤を供給するクロム濃度調整剤供給装置と、前記焼却灰供給装置から供給される焼却灰を溶融する溶融炉と、この溶融炉の下方位置に設けられ、スラグ排出口から排出される溶融スラグを急冷する水冷装置とからなることを特徴とする焼却灰の溶融装置。
【手続補正２】
【補正対象書類名】明細書
【補正対象項目名】００２０
【補正方法】変更
【補正の内容】
【００２０】
本発明は、上記ラボ実験、および実験の結果により具現したものであって、従って本発明の請求項１に係る焼却灰の溶融装置が採用した手段の要旨は、廃棄物供給装置と、この廃棄物供給装置から供給される廃棄物を焼却する焼却炉と、この焼却炉から排出される排ガス中の焼却灰を捕集するサイクロンと、このサイクロンから焼却灰供給装置を介して供給された焼却灰を溶融する溶融炉と、この溶融炉の下方位置に設けられ、スラグ排出口から排出される溶融スラグを急冷する水冷装置と、前記焼却灰の塩基度を計測する塩基度計測装置と、前記焼却灰のクロム濃度を計測するクロム濃度計測装置と、前記廃棄物供給装置または前記焼却炉のうちの何れか一つに、前記焼却灰の塩基度が０．６〜１．０になるように塩基度調整剤を供給する塩基度調整剤供給装置と、前記廃棄物供給装置または前記焼却炉のうちの何れか一つに、クロム濃度調整剤を供給するクロム濃度調整剤供給装置と、前記サイクロンから排出された排ガス中の飛灰をさらに捕集する集塵機と、この集塵機から排出され、飛灰が除去された排ガスを大気中に放出する煙突とからなることを特徴とするものである。
【手続補正３】
【補正対象書類名】明細書
【補正対象項目名】００２１
【補正方法】変更
【補正の内容】
【００２１】
本発明の請求項２に係る焼却灰の溶融装置が採用した手段の要旨は、請求項１に記載の焼却灰の溶融装置において、前記集塵機から前記溶融炉に、集塵機で捕集された飛灰を焼却灰供給装置に供給する搬送装置を備えてなることを特徴とするものである。
【手続補正４】
【補正対象書類名】明細書
【補正対象項目名】００２２
【補正方法】変更
【補正の内容】
【００２２】
本発明の請求項３に係る焼却灰の溶融装置が採用した手段の要旨は、廃棄物供給装置と、この廃棄物供給装置から供給される廃棄物を焼却する焼却炉と、この焼却炉から排出される焼却灰を溶融炉に供給する焼却灰供給装置と、前記焼却灰の塩基度を計測する塩基度計測装置と、前記焼却灰のクロム濃度を計測するクロム濃度計測装置と、前記廃棄物供給装置、焼却炉または前記焼却炉のうちの何れか一つに、前記焼却炉から排出される焼却灰の塩基度が０．６〜１．０になるように塩基度調整剤を供給する塩基度調整剤供給装置と、前記廃棄物供給装置または前記焼却炉のうちの何れか一つに、クロム濃度調整剤を供給するクロム濃度調整剤供給装置と前記焼却灰供給装置から供給される焼却灰を溶融する溶融炉と、この溶融炉の下方位置に設けられ、スラグ排出口から排出される溶融スラグを急冷する水冷装置とからなることを特徴とするものである。
【手続補正５】
【補正対象書類名】明細書
【補正対象項目名】００２３
【補正方法】変更
【補正の内容】
【００２３】
本発明の請求項４に係る焼却灰の溶融装置が採用した手段の要旨は、焼却灰を受け入れるホッパと、焼却灰供給装置と、前記焼却灰の塩基度を計測する塩基度計測装置と、前記焼却灰のクロム濃度を計測するクロム濃度計測装置と、前記ホッパに、前記焼却灰の塩基度が０．６〜１．０になるように塩基度調整剤を供給する塩基度調整剤供給装置と、クロム濃度調整剤を供給するクロム濃度調整剤供給装置と、前記焼却灰供給装置から供給される焼却灰を溶融する溶融炉と、この溶融炉の下方位置に設けられ、スラグ排出口から排出される溶融スラグを急冷する水冷装置とからなることを特徴とするものである。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】変更
【補正の内容】
【００２７】
本発明の請求項１乃至４に係る焼却灰の溶融装置では、焼却炉から排出される焼却灰を溶融炉に供給するに際し、焼却灰の塩基度が０．６〜１．０になるように、前記廃棄物供給装置、または前記焼却炉のうちの何れか一つに塩基度調整剤が供給された焼却灰が溶融炉に供給される。そして、この溶融炉で溶融された焼却灰の溶融スラグは水冷装置で急冷される。従って、本発明の請求項１乃至４に係る焼却灰の溶融装置によれば、焼却灰中の有害な六価クロムを無害な三価クロムに還元しながら、三価クロムの形態を維持したまま焼却灰を溶融することでスラグ中の六価クロム濃度を極小にし、六価クラムの溶出を確実に防止することができるから、環境への六価クロムの溶出をより一層少なくすることができる。また、スラグ表面が耐水性に優れたガラス質で形成されるため、スラグ体内からの六価クロムの溶出を効果的に抑制することができる。
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】